【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
湾曲した第１の主表面を備える第１の光学素子と、
前記第１の光学素子の前記湾曲した第１の主表面に接合され、それに適合する光学積層体とを備え、前記光学積層体は、
第１の偏光状態を有する光を実質的に透過させ、直交する第２の偏光状態を有する光を実質的に反射する反射型偏光子と、
前記反射型偏光子に接合され、実質的に平行な反対向きの第１の主表面及び第２の主表面を備える非接着性可撓性光学層であって、前記非接着性可撓性光学層上の少なくとも１つの場所は、約５５０ｎｍの波長において、約２００ｎｍより大きい光学リターダンスを有する、非接着性可撓性光学層とを備える、光学システム。
【請求項２】
前記第１の光学素子が、２つの相互に直交する方向に屈折力を有する第１の光学レンズを備える、請求項１に記載の光学システム。
【請求項３】
前記第１の光学素子が、第１の光学プリズムを備える、請求項１に記載の光学システム。
【請求項４】
前記反射型偏光子は、Ｎ個の連続して番号付けられた層を備え、Ｎは２００より大きく、８００未満の整数であり、各層が約２００ｎｍ未満の平均厚さを有し、近似曲線は、層番号の関数として、前記反射型偏光子の層厚さに適用される最適近似回帰であり、第１の層〜第Ｎの層まで延びる領域における前記近似曲線の平均傾斜は、約０．２ｎｍ未満である、請求項１に記載の光学システム。
【請求項５】
前記反射型偏光子が、ポリマー多層光学フィルムであり、前記ポリマー多層光学フィルムが、
複数の干渉層であって、各干渉層が主に光学干渉によって光を反射又は透過し、前記複数の干渉層の平均総厚が約２０マイクロメートル〜約７０マイクロメートルである、複数の干渉層と、
前記複数の干渉層と一体的に形成され、主に光学干渉によって光を反射又は透過しない少なくとも１つの非干渉層であって、前記少なくとも１つの非干渉層の平均総厚が約４０マイクロメートル〜約１００マイクロメートルである、少なくとも１つの非干渉層とを備え、所定の波長範囲において、実質的に垂直入射する光の場合、前記複数の干渉層は、前記第１の偏光状態について約８５％より大きい平均光透過率を有し、前記第２の偏光状態について約８０％より大きい平均光反射率を有する、請求項１に記載の光学システム。
【請求項６】
第１の斜辺を備える第１のプリズムと、
前記第１の斜辺に面する第２の斜辺を備える第２のプリズムと、
前記第１の斜辺と前記第２の斜辺との間に配置され、前記第１の斜辺及び前記第２の斜辺に接着された光学積層体とを備え、前記光学積層体は、
第１の偏光状態を有する光を実質的に透過させ、直交する第２の偏光状態を有する光を実質的に反射する反射型偏光子と、
前記反射型偏光子に接合され、実質的に平行な反対向きの第１の主表面及び第２の主表面を備える非接着性可撓性光学層であって、前記非接着性可撓性光学層上の少なくとも１つの場所は、約１００ｎｍ未満又は約２００ｎｍより大きい光学リターダンスを有する、非接着性可撓性光学層と、
前記反射型偏光子と前記非接着性可撓性光学層との間に配置され、前記反射型偏光子を前記非接着性可撓性光学層に接合する接着層とを備える、偏光ビームスプリッタ（ＰＢＳ）。
【請求項７】
前記反射型偏光子が、ポリマー多層光学フィルムであり、前記ポリマー多層光学フィルムが、
複数の干渉層であって、各干渉層が主に光学干渉によって光を反射又は透過し、前記複数の干渉層の平均総厚が約２０マイクロメートル〜約７０マイクロメートルである、複数の干渉層と、
前記複数の干渉層と一体的に形成され、主に光学干渉によって光を反射又は透過しない少なくとも１つの非干渉層であって、前記少なくとも１つの非干渉層の平均総厚が約４０マイクロメートル〜約１００マイクロメートルである、少なくとも１つの非干渉層とを備え、所定の波長範囲において、実質的に垂直入射する光の場合、前記複数の干渉層は、前記第１の偏光状態について約８５％より大きい平均光透過率を有し、前記第２の偏光状態について約８０％より大きい平均光反射率を有する、請求項６に記載のＰＢＳ。
【請求項８】
少なくとも一方向に屈折力を備える第１の光学レンズと、
前記第１の光学レンズに接着された光学積層体とを備え、前記光学積層体が、
第１の偏光状態を有する光を実質的に透過させ、直交する第２の偏光状態を有する光を実質的に反射する反射型偏光子と、
前記反射型偏光子に接合され、実質的に平行な反対向きの第１の主表面及び第２の主表面を備える非接着性可撓性光学層であって、前記非接着性可撓性光学層上の少なくとも１つの場所は、約１００ｎｍ未満又は約２００ｎｍより大きい光学リターダンスを有する、非接着性可撓性光学層と、
前記反射型偏光子と前記非接着性可撓性光学層との間に配置され、前記反射型偏光子を前記非接着性可撓性光学層に接合する接着層とを備える、レンズアセンブリ。
【請求項９】
少なくとも一方向における屈折力、及び湾曲した第１の主表面を備える第１の光学レンズと、
複数の干渉層を備える一体的に形成された反射型偏光子であって、各干渉層が主に光学干渉によって光を反射又は透過し、少なくとも１つの干渉層が、少なくとも１つの場所で実質的に一軸配向され、前記反射型偏光子は、前記第１の光学レンズの前記第１の主表面に接着され、前記反射型偏光子は、第１の偏光状態を有する光を実質的に透過し、直交する第２の偏光状態を有する光を実質的に反射する、一体的に形成された反射型偏光子とを備え、
前記第１の主表面が、最大投影寸法Ｄ及び対応する最大サグＳ、Ｓ／Ｄ≧０．０３を有する活性領域を備え、
前記反射型偏光子の平均厚さは、約５０マイクロメートルより大きい、レンズアセンブリ。
【請求項１０】
複数の干渉層であって、各干渉層が主に光学干渉によって光を反射又は透過し、前記複数の干渉層の平均総厚が約２０マイクロメートル〜約７０マイクロメートルである、複数の干渉層と、
前記複数の干渉層と一体的に形成され、主に光学干渉によって光を反射又は透過しない少なくとも１つの非干渉層であって、前記少なくとも１つの非干渉層の平均総厚が約４０マイクロメートル〜約１００マイクロメートルである、少なくとも１つの非干渉層とを備え、所定の波長範囲において、実質的に垂直入射する光の場合、前記複数の干渉層は、第１の偏光状態について約８５％より大きい平均光透過率を有し、直交する第２の偏光状態について約８０％より大きい平均光反射率を有する、光学フィルム。
【請求項１１】
前記少なくとも１つの非干渉層が、実質的に平行な反対向きの第１の主表面及び第２の主表面を備える非接着性可撓性光学層を備え、前記非接着性可撓性光学層上の少なくとも１つの場所は、約１００ｎｍ未満又は約２００ｎｍよりも大きい光学リターダンスを有する、請求項１０に記載の光学フィルム。
【請求項１２】
約５０マイクロメートルよりも大きな平均厚さを有し、複数の干渉層を備える一体的に形成された反射型偏光子であって、各干渉層が主に光学干渉によって光を反射又は透過し、少なくとも１つの干渉層が、少なくとも１つの場所で実質的に一軸配向され、前記一体的に形成された反射型偏光子が、最も外側の湾曲した主表面を備える、一体的に形成された反射型偏光子と、
前記反射型偏光子の前記最も外側の湾曲した主表面上に直接形成され、それに適合する光学素子とを備える、反射型偏光子アセンブリ。
【請求項１３】
所定の波長範囲において、実質的に垂直入射する光の場合、前記複数の干渉層は、第１の偏光状態について約８５％より大きい平均光透過率を有し、直交する第２の偏光状態について約８０％より大きい平均光反射率を有し、前記第２の偏光状態について約２％より大きい平均光吸収率を有し、前記所定の波長範囲において、実質的に垂直入射する光の場合、前記一体的に形成された反射型偏光子は、前記反射型偏光子の第１の主面側から入射する光に対してはより大きな平均光反射率を有し、前記反射型偏光子の反対側の第２の主面側から入射する光に対してはより小さい平均光反射率を有する、請求項１２に記載の反射型偏光子アセンブリ。
【請求項１４】
少なくとも一方向における屈折力、及び望ましくない特性を有する湾曲した第１の主表面を有する第１の光学レンズと、
複数の干渉層を備える一体的に形成された反射型偏光子であって、各干渉層が主に光学干渉によって光を反射又は透過し、前記一体的に形成された反射型偏光子が、反対向きの最も外側の第１の主表面及び最も外側の第２の主表面を備える、一体的に形成された反射型偏光子と、前記一体的に形成された反射型偏光子の前記第１の主表面を、前記第１の光学レンズの前記第１の主表面に接合する接着層であって、前記接合は、前記第１の光学レンズの前記第１の主表面の望ましくない無特性を補償し、前記一体的に形成された反射型偏光子の前記最も外側の第２の表面は、望ましい特性を有する、接着層とを備える、レンズアセンブリ。
【請求項１５】
少なくとも一方向において、ゼロより大きい屈折力を有する少なくとも１つのレンズと、
所定の波長範囲において、実質的に垂直入射する光について、少なくとも３０％の平均光反射率を有する部分反射体と、
請求項１０の光学フィルムである反射型偏光子とを備えた光学システムであって、前記光学システムは光軸を有し、前記光軸に沿って光線が、実質的に屈折することなく、前記少なくとも１つのレンズ、前記部分反射体、及び前記反射型偏光子を通過して伝搬し、前記第２の偏光状態と前記所定の波長範囲における波長とを有する光の入射円錐であって、前記光軸を中心として約１００°〜約１６０°の全円錐角を有する光の入射円錐の場合、前記入射光は、前記第１の偏光状態を有する第１の光成分と、前記第２の偏光状態を有する第２の光成分とを有して前記光学システムから出射し、前記第１の光成分の平均強度と前記第２の光成分の平均強度との比は、約１００より大きい、光学システム。